(57)【要約】      （修正有）【課題】押圧に応じて音を発する引手を提供する。【解決手段】引手１００は、ファスナースライダーに対して取り付けられ、かつヒトの指による押圧に応じて発音する。引手１００は、ヒトの指により押圧されるべきボタン１５及び当該ボタン１５の下に空洞が形成された空洞部を具備し、ヒトの指による押圧に応じてボタン１５が変位する引手本体１０と、空洞部内においてボタン１５の下方に配置され、ボタン１５により直接又は間接的に押圧されて弾性変形して発音する発音体３０と、を備える。【選択図】図１
0003179209.tif 000002
【実用新案登録請求の範囲】
【請求項１】
ファスナースライダー（２５０）に対して取り付けられ、かつヒトの指による押圧に応じて発音する引手（１００）であって、
前記ヒトの前記指により押圧されるべきボタン（１５）及び当該ボタン（１５）の下に空洞が形成された空洞部（ＳＰ１０）を具備し、前記ヒトの前記指による前記押圧に応じて前記ボタン（１５）が変位する、引手本体（１０）と、
前記引手本体（１０）の前記空洞部（ＳＰ１０）内において前記ボタン（１５）の下方に配置され、前記ボタン（１５）の前記変位に応じて前記ボタン（１５）により直接又は間接的に押圧されて弾性変形して発音する発音体（３０）と、を備える引手。
【請求項２】
前記空洞部（ＳＰ１０）内への前記発音体（３０）の移動を許容する前記空洞部（ＳＰ１０）の入口（ＯＰ１０）を閉じるべく前記引手本体（１０）に対して装着される蓋部材（６０）を更に備える、請求項１に記載の引手。
【請求項３】
前記発音体（３０）は、前記引手本体（１０）及び前記蓋部材（６０）の一方に載置されており、
前記引手本体（１０）及び前記蓋部材（６０）の他方には、前記空洞部（ＳＰ１０）内の前記発音体（３０）に対して対向する押圧凸部（１８）が設けられている、請求項２に記載の引手。
【請求項４】
前記引手本体（１０）には外気と前記空洞の間を連通する少なくとも１つの通気孔（ＯＰ１１、ＯＰ１２）が設けられている、請求項１乃至３のいずれか一項に記載の引手。
【請求項５】
少なくとも１つの前記通気孔に含まれる第１通気孔（ＯＰ１１）は、前記ファスナースライダー（２５０）に対して取り付けられた当該引手（１００）が鉛直方向に垂れ下がった状態にあるとき、前記鉛直方向に沿って前記第１通気孔が延びるべく前記引手本体（１０）に設けられている、請求項４に記載の引手。
【請求項６】
少なくとも１つの前記通気孔に含まれる第２通気孔（ＯＰ１２）の外気側の口は、前記ボタン（１５）が設けられた前記引手本体（１０）の面とは反対の面に設けられる、請求項４又は５に記載の引手。
【請求項７】
前記引手本体（１０）は、前記ファスナースライダー（２５０）の引手取付部に係合する側の基端、及び前記ボタン（１５）が設けられる側の自由端を有する長尺部材である、請求項１乃至６のいずれか一項に記載の引手。
【請求項８】
前記発音体（３０）は、前記ボタン（１５）の前記変位に応じて弾性変形するドーム部（３１）を備える、請求項１乃至７のいずれか一項に記載の引手。
【請求項９】
請求項１乃至８のいずれか一項に記載の引手（１００）を具備するファスナースライダー。
【請求項１０】
請求項９に記載のファスナースライダー（２５０）を具備するスライドファスナー。
【考案の詳細な説明】
【技術分野】
【０００１】
本考案は、引手及びこれを具備するスライドファスナーに関し、特にヒトの指による押圧に応じて発音する引手に関する。
【背景技術】
【０００２】
スライドファスナーは、鞄、財布、衣類、袋類等の多種多様な物品に用いられている。このような多様な物品の中には「面白さ／目新しさ」に対する潜在的な要望が存在する。
【０００３】
特許文献１の図１には、ホルダー１、発音装置２、及びカバー３の３つの部品により構成された引手部４がピン軸５を介してクランパー６に揺動可能に連結した引手が開示されている。同図に示すように、クランパー６の覆片２１の下面には導通部２２が設けられている。同文献の図４に示す矢印Ｄの方向に引手４を引くと、発音装置２のスイッチ接点１０が導通部２２により導通し、これにより、発音装置２が音を生成する。
【０００４】
特許文献２には、発音とは無関係ではあるが、同文献の図１に示すように、引手Ａの引手本体１の表裏両面に各装飾片Ｂを設けることが開示されている。同文献の図２乃至図４から理解できるように、引手本体１と各装飾片Ｂを嵌め合わせる。この際、装飾片Ｂの係合面４ａに接着剤を塗布したうえで、各装飾片Ｂで引手本体１を挟み込むことが説明されている。
【０００５】
特許文献３には、同文献の図３に示すように、引手本体４に対してコード等を保持するコード保持部９を一体的に設けた引手２が開示されている。
【先行技術文献】
【特許文献】
【０００６】
【特許文献１】特開平６−７２０９号公報
【特許文献２】実開平２−１４７０１８号公報
【特許文献３】特許第４６２８３３０号公報
【考案の概要】
【考案が解決しようとする課題】
【０００７】
新しいタイプの引手が潜在的に望まれている中、本願考案者らは、単に音を発生するだけではなく、ヒトのストレスの低減に役立ち得る引手を考案するに至った。
【課題を解決するための手段】
【０００８】
本考案の一態様に係る引手は、ファスナースライダーに対して取り付けられ、かつヒトの指による押圧に応じて発音する引手であって、前記ヒトの前記指により押圧されるべきボタン及び当該ボタンの下に空洞が形成された空洞部を具備し、前記ヒトの前記指による前記押圧に応じて前記ボタンが変位する、引手本体と、前記引手本体の前記空洞部内において前記ボタンの下方に配置され、前記ボタンの前記変位に応じて前記ボタンにより直接又は間接的に押圧されて弾性変形して発音する発音体と、を備える。ボタンの変位が直接又は間接的に発音体の弾性変形をもたらして発音体が発音する。「ボタンの押込み」と「音発生」が同調し、これにより、心地よい気分転換をヒトに与えることができ、つまりヒトのストレス低減を図ることができる。
【０００９】
前記空洞部内への前記発音体の移動を許容する前記空洞部の入口を閉じるべく前記引手本体に対して装着される蓋部材を更に備える、と良い。蓋部材の活用により１以上の利益を得ることもできる。
【００１０】
前記発音体は、前記引手本体及び前記蓋部材の一方に載置されており、前記引手本体及び前記蓋部材の他方には、前記空洞部内の前記発音体に対して対向する押圧凸部が設けられている、と良い。押圧凸部の活用により、より的確な態様で発音体を弾性変形させることができる。
【００１１】
前記引手本体には外気と前記空洞の間を連通する少なくとも１つの通気孔が設けられている、と良い。本構成によれば、空洞部内に入り込む水分等の除去に効果的である。
【００１２】
少なくとも１つの前記通気孔に含まれる第１通気孔は、前記ファスナースライダーに対して取り付けられた当該引手が鉛直方向に垂れ下がった状態にあるとき、前記鉛直方向に沿って前記第１通気孔が延びるべく前記引手本体に設けられている、と良い。本構成によれば、空洞部内に入り込む水分等の除去に効果的である。
【００１３】
少なくとも１つの前記通気孔に含まれる第２通気孔の外気側の口は、前記ボタンが設けられた前記引手本体の面とは反対の面に設けられる、と良い。本構成によれば、通気孔を設ける場合であっても、引手の美観が劣化することを抑制することができる。
【００１４】
前記引手本体は、前記ファスナースライダーの引手取付部に係合する側の基端、及び前記ボタンが設けられる側の自由端を有する長尺部材である、と良い。本構成によれば、ボタンの押圧が容易である。
【００１５】
前記発音体は、前記ボタンの前記変位に応じて弾性変形するドーム部を備える、と良い。
【００１６】
本考案の別態様に係るファスナースライダーは、上述の引手を具備するものであり、本考案の更なる別態様に係るスライドファスナーは、そのファスナースライダーを具備するものである。
【考案の効果】
【００１７】
本考案によれば、ヒトのストレス低減に役立ち得る引手を提供することができる。
【図面の簡単な説明】
【００１８】
【図１】本考案の第１実施形態に係る引手の概略的な分解斜視図であり、引手の上面側を図示する。
【図２】本考案の第１実施形態に係る引手の概略的な分解斜視図であり、引手の下面側を図示する。
【図３】本考案の第１実施形態に係る引手の概略的な分解側面図であり、引手の長手側面を図示する。
【図４】本考案の第１実施形態に係る引手の概略的な上面図である。
【図５】本考案の第１実施形態に係る引手の概略的な長手垂直断面模式図である。
【図６】本考案の第１実施形態に係る引手の概略的な長手垂直断面模式図であり、シリコーン本体部へのキャップの装着前の状態を示す。
【図７】本考案の第１実施形態に係る引手の概略的な長手垂直断面模式図であり、ヒトの指による押圧前の状態を示す。
【図８】本考案の第１実施形態に係る引手の概略的な長手垂直断面模式図であり、ヒトの指による押圧後の状態を示す。
【図９】本考案の第１実施形態に係るドーム体の構成及び変化態様を示す模式図である。
【図１０】本考案の第１実施形態に係るドーム体の構成及び変化態様を示す模式図である。
【図１１】本考案の第１実施形態に係るスライドファスナーの概略表面図である。
【図１２】本考案の第２実施形態に係る引手の概略的な長手垂直断面模式図であり、シリコーン本体部へのキャップの装着前の状態を示す。
【図１３】本考案の第２実施形態に係る引手の概略的な長手垂直断面模式図であり、シリコーン本体部へのキャップの装着後の状態を示す。
【考案を実施するための形態】
【００１９】
以下、図面を参照しつつ、本考案の実施形態について説明する。各実施形態は、個々に独立したものではなく、過剰説明をするまでもなく、当業者をすれば、適宜、組み合わせることが可能であり、この組み合わせによる相乗効果も把握可能である。実施形態間の重複説明は、原則的に省略する。参照図面は、考案説明を主目的とするものであり、適宜、簡略化されている。
【００２０】
以下の説明では、「長手方向」、「幅方向」、及び「厚み方向」は、長尺であり所定幅及び所定厚みを有するシリコーン本体部（引手本体）を前提／基準として用いる場合がある。更に、「周方向」は、上面視円形のボタンを前提／基準として用いる場合がある。更に、上下左右といった方向を示す用語は、原則として図面を正面視した場合を前提として用いるが、説明の一貫性を保つために必ずしもそのように用いられない場合がある。
【００２１】
＜第１実施形態＞
図１乃至図１１を参照して第１実施形態について説明する。図１は、引手の概略的な分解斜視図であり、引手の上面側を図示する。図２は、引手の概略的な分解斜視図であり、引手の下面側を図示する。図３は、引手の概略的な分解側面図であり、引手の長手側面を図示する。図４は、引手の概略的な上面図である。図５は、引手の概略的な長手垂直断面模式図である。図６は、引手の概略的な長手垂直断面模式図であり、シリコーン本体部へのキャップの装着前の状態を示す。図７は、引手の概略的な長手垂直断面模式図であり、ヒトの指による押圧前の状態を示す。図８は、引手の概略的な長手垂直断面模式図であり、ヒトの指による押圧後の状態を示す。図９及び図１０は、ドーム体の構成及び変化態様を示す模式図である。図１１は、スライドファスナーの概略表面図である。
【００２２】
図１乃至図３に示すように、引手１００は、その基端側から自由端側へ長尺な長尺部材であり、シリコーン本体部（引手本体）１０、キャップ（蓋部材）６０、及びドーム体（発音体）３０を有し、垂直方向にシリコーン本体部１０、ドーム体３０、及びキャップ６０がこの順で配置される。引手１００の基端において、シリコーン本体部１０にインサート成型された金属製の係合枠体１９が露出しており、係合枠体１９とシリコーン本体部１０により形成された通し孔ＯＰ１９にファスナースライダーの引手取付柱（引手取付部）が通される。係合枠体１９によってファスナースライダーの引手取付柱に係合するべき係合部が引手１００の基端に設けられると理解することができる。引手１００の自由端側には、ボタン１５が設けられており、ヒトの指によるボタン１５の容易な押圧が可能となっている。
【００２３】
シリコーン本体部１０は、例えば、シリコーン樹脂等の任意の弾性材料の成型により製造された可撓性部材である。このようにシリコーン本体部１０を弾性材料で構成して可撓性を付与することにより、ボタン１５の弾性的な変位がシリコーン本体部の構造自体により確保することができ、つまり、ヒトの指により押し下げられて下方へ沈んだボタン１５の元位置への復帰を簡素な構成にて実現することができ、バネ等の他の弾性部材の使用を省略することができる。なお、シリコーン本体部１０においてボタン１５の色を変える場合、二色成型を活用すると良い。ボタン１５の色をシリコーン本体部１０の他の部分の色と変えることにより、シリコーン本体部１０に設けられたボタンの位置を的確に表すことができる。例えば、ボタン１５は白色であり、その余のシリコーン本体部１０の部分は、緑、黒、赤、青、水色、黄色、及びオレンジの群に含まれる色である。
【００２４】
シリコーン本体部１０は、上面視正円状のボタン配置先端部１１及び上面視矩形状の棒状基部１２が連続した長尺形状を有し、棒状基部１２の一端がボタン配置先端部１１の外周に連結している。シリコーン本体部１０のボタン配置先端部１１は、上面視円形状で所定の肉厚を有するボタン１５と、ボタン１５を周囲すると共にボタン配置先端部１１の外周側面を構成するボタン周囲部１６を有する。ボタン１５とボタン周囲部１６の間にはボタン１５を周囲する環状の溝１０ｆが設けられ、また、後述するようにボタン１５の直下には空洞が設けられている。なお、ボタン１５とボタン周囲部１６の間は、肉薄の連結部１７を介して連結しており（図５参照）、同部分の弾性的な伸縮によってボタン１５の弾性的な上下変位が可能になっている。なお、「弾性的」との用語は、原則的にある部材が変形／変位したとしても元形状／元位置に復帰可能な特性を意味する。
【００２５】
ボタン１５の弾性変位の態様は任意であるが、典型的には、ヒトの指によりボタン１５が押されてボタン１５が下方へ直線的に変位し、ヒトの指がボタン１５から離されるとボタン１５が元位置に直線的に復帰する。なお、ヒトの指によるボタン１５の押圧態様は任意であるが、典型的には、親指と人差し指との間でボタン配置先端部１１が挟持され、親指によりボタン１５が押されるが、この逆であっても構わない。
【００２６】
ボタン１５は、ボタン周囲部１６から更に上方へ突出しており、端的には、図３に示すようにボタン１５の上面１５ａは、ボタン周囲部１６の上面１６ａよりも高くに位置する。ボタン１５の上面１５ａには、パソコン等で広く採用されている電源ボタンのマークが成型により描かれている。ボタン１５を指で押すことが、あたかも任意の機器を作動させることにつながるイメージを抱かせ、ボタン１５を押すことの意味付けが確保されている。ボタン１５の上面１５ａに設けられる模様は任意であるが、ノベルティー商品として用いられる場合には、そのノベルティー商品の提供元の企業に関連する模様がボタン１５の上面１５ａに描かれるだろう。
【００２７】
図２に示すように、ボタン配置先端部１１には、ボタン１５の直下にあってボタン周囲部１６により周囲された空洞が形成されており、この空洞が形成された部分を空洞部と呼び、以下、空洞／空洞部に同一の参照符号ＳＰ１０を付して説明する。空洞部ＳＰ１０は、ボタン１５の下面１５ｒにより上方から閉じられ、ボタン周囲部１６の側壁部１６ｒにより横周囲から閉じられ、ボタン周囲部１６の底板部１６ｑにより下方から閉じられている。
【００２８】
ボタン周囲部１６の底板部１６ｑには、ドーム体３０／キャップ６０の移動／挿入を許容するための入口ＯＰ１０が設けられている。空洞部ＳＰ１０／入口ＯＰ１０は、空洞部ＳＰ１０内へのドーム体３０／キャップ６０の移動／挿入を許容するのに適当にサイズされている。なお、空洞部ＳＰ１０内へのキャップ６０の移動／挿入の具体的態様は任意であり、必ずしもシリコーン本体部１０の下面１０ｄに入口ＯＰ１０を設ける必要はなく、シリコーン本体部１０の上部側面１０ｂ及び／又は下部側面１０ｃに入口を設けても良い。入口ＯＰ１０をキャップ６０により完全に閉じる必要はなく、シリコーン本体部１０からのキャップ６０の離脱を抑制する態様にてシリコーン本体部１０にキャップ６０が装着されていれば良い。
【００２９】
図２に示すように、ボタン１５の下面１５ｒの中心には、ボタン１５の押圧方向に沿って下方へ延びる先細りの押圧凸部１８が設けられている。押圧凸部１８は、ボタン１５と同様、シリコーン本体部１０の一部を構成するが、このような場合に限らず、これを別部材として、ボタン１５の下面１５ｒに接着／嵌め合い等により固定しても良い。
【００３０】
図２に示すように、ボタン周囲部１６の側壁部１６ｒには、空洞部ＳＰ１０と外気間を連通する通気孔ＯＰ１１が設けられている。また、ボタン周囲部１６と棒状基部１２間に亘り延在して空洞部ＳＰ１０と外気間を連通する通気孔ＯＰ１２が設けられている。
【００３１】
通気孔ＯＰ１１は、ボタン１５の周方向に長い楕円形であり、ボタン周囲部１６の側壁部１６ｒを「鉛直方向」に貫通する。ここでいう「鉛直方向」は、引手１００がファスナースライダーの引手取付柱に取付けられ、引手１００が鉛直方向に垂れ下がった状態にある場合を前提としている。このように通気孔ＯＰ１１を設けることにより、洗濯等により空洞部ＳＰ１０内へ進入した水分を洗濯物の乾燥時に効率的に除去することが期待できる。更に、通気孔ＯＰ１１よりも断面積が小さい通気孔ＯＰ１２を設けることにより、通気孔ＯＰ１２、空洞ＳＰ１０、及び通気孔ＯＰ１１が連続した通路となり、主として通気孔ＯＰ１１を介した空洞部ＳＰ１０内の水分の排出を促進することができる。
【００３２】
通気孔ＯＰ１２の外気側の口が、シリコーン本体部１０の下面１０ｄに設けられている。これにより、ファスナースライダーの引手取付柱へ引手１００が取り付けられた図１１に示す状態において通気孔ＯＰ１２の外気側の口を外部から見えにくくすることができ、引手１００の美観を高めることができる。
【００３３】
上述の棒状基部１２は、上述の金属製の係合枠体１９がインサート成型される中実の固体部分であり、これにより、シリコーン本体部１０の全体的な機械的な強度が好適に確保される。図１に示すように、棒状基部１２の上面１２ａには、所定模様を描くように連続した溝１２ａ１が設けられ、かつ溝１２ａ１により縁どられた模様面１２ａ２が設けられている。模様面１２ａ２は、縦長の矩形が左右両側から円弧状に狭められた上面視形状を有する。なお、ここで述べる縦方向は、引手１００の長手方向に一致し、左右方向は、引手１００の短手の幅方向に一致する。更に、棒状基部１２の上面１２ａと左右の側面１２ｂとの間には、面取りである左右一組の傾斜面１２ｅが設けられ、これにより、棒状基部１２の上面視形状を模様面１２ａ２の外形に相似にすることができ、外観の統一性を増すことができる。
【００３４】
図３に示すように、棒状基部１２の上面１２ａは、係合枠体１９側からボタン１５側へ徐々に高くなり、これにより、棒状基部１２の上面１２ａに緩やかな傾斜面が形成される。これにより、引手１００の基端側から自由端側へシリコーン本体部１０が徐々に肉厚になり、ヒトの指によるシリコーン本体部１０の把持性を高めることができる。
【００３５】
なお、シリコーン本体部１０の上面１０ａは、ボタン配置先端部１１と棒状基部１２間で連続し、その上部側面１０ｂ、下部側面１０ｃ、下面１０ｄについても同様である。上部側面１０ｂと下部側面１０ｃの間には成型金型の型割線ＰＬ１０が設けられている。シリコーン本体部の成型金型の具体的な金型構成は任意であり、本開示は一例に過ぎない。
【００３６】
ドーム体３０は、自身の変形に応じて単発的に発音する単層又は積層体の発音体であり、中心がドーム状に突出した円盤体でもあり、端的には、ドーム部３１及びドーム部３１を周囲する外周部３２を備える。ドーム体３０は、キャップ６０の載置面６４への固着後、ボタン１５、より詳細には押圧凸部１８の直下に配置され、ボタン１５／押圧凸部１８と略同心配置される。ドーム体３０は、キャップ６０の載置面６４といった平坦面に配置される。
【００３７】
ドーム体３０のドーム部３１は、ボタン１５を介して伝達するヒトの指による押圧力、端的にはボタン１５の下面１５ｒに設けられた押圧凸部１８による押し込みに応じて弾性的に変形し、この時、「プチ／ペキ」といった単発音が発生する。上述の押圧力の伝達が途絶え、押圧凸部１８による押し込みが無くなると、ドーム部３１は、そのバネ性に依存して元形状に弾性復帰し、この時、「プチ／ペキ」といった単発音が再度発生する。このようなドーム部３１の一連の形状変化を発音往復運動と呼んでも構わない。
【００３８】
例えば、ドーム体３０は、ドーム部を有するべく成形された所定強度を有するプラスチックの単層、若しくは基材となるＰＥＴ（ポリエチレンテレフタレート）等の樹脂フィルムに対して弧状の曲げを有するステンレス等の金属製ドーム又は基材となるＰＥＴ等の樹脂フィルムに対して弧状の曲げを有する樹脂製ドームが一体化された積層体である。
【００３９】
ドーム部３１が積層体の場合、樹脂フィルムに積層されるドームは、ステンレスの反転バネであって、外力に応じて凹んでも元の形状に復帰するバネ特性を具備する。キャップ６０に対するドーム体３０の配置固定を容易化するべく、ドーム体３０に接着性を付与することが望ましい。例えば、ステンレス製のドームに対応する開口を有するリング状の粘着フィルムを樹脂フィルムに積層しても良い。これにより、ドーム体３０を粘着フィルム側からキャップ６０の載置面６４に押し付けることにより、キャップ６０の載置面６４に対してドーム体３０を簡易に固着させることができる。
【００４０】
キャップ６０は、空洞部ＳＰ１０の入口ＯＰ１０を閉じるための蓋部材であり、本例においては、シリコーン本体部１０の空洞部ＳＰ１０内へドーム体３０を簡便に搬送するための搬送基板としても機能する。キャップ６０も樹脂の金型成型により製造することができるが、シリコーン本体部１０よりも十分に硬いことが望ましい。これにより、キャップ６０上におけるドーム体３０の弾性変形をより確実にすることができる。
【００４１】
キャップ６０は、各々が円形の上面視形状を有し、各々が同心配置された円盤部６１、円筒部６２、及び円柱島部６３を有する。円盤部６１は、所定の厚みを有する上面視円形の平板部分であり、その上面には円筒部６２が設けられており、その下面には円柱島部６３が設けられている。円筒部６２の直径は、ドーム体３０の直径よりも若干大きく、これにより、円筒部６２の底面である載置面６４にドーム体３０を簡便に載置することができ、端的には、ドーム体３０を載置面６４上に簡便に接着剤等により固着させることができる。シリコーン本体部１０へキャップ６０を装着した状態においても、円筒部６２によりドーム体３０が保護されており、ドーム体３０の損傷が効果的に抑制される。また、円筒部６２よりも外周にある円盤部６１の外周端部である鍔部６５により、空洞部ＳＰ１０に対するキャップ６０の係止を好適に確保することもできる。
【００４２】
円柱島部６３は、円盤部６１の下面から凸状に突出した島部であり、その下面６３ａが略弧状に窪み、その窪み深さが、下面６３ａの外周から中心に向かって徐々に深くなる。シリコーン本体部１０へキャップ６０が装着された時、円柱島部６３の下面６３ａは、シリコーン本体部１０の下面１０ｄと略面一になるが、上述のように円柱島部６３の下面６３ａに中心に向かって緩やかに深くなる窪みを設けることにより、ヒトの指の載置性を良好に確保することができる。
【００４３】
図５に図４の二点鎖線Ｖ−Ｖに沿う概略的な長手垂直断面を示す。図６に、シリコーン本体部１０へのキャップ６０の装着前の状態を示す。図４乃至図６に示すように、まず、キャップ６０の円筒部６２の底面である載置面６４にドーム体３０が接着固定される。次に、キャップ６０が入口ＯＰ１０を介して空洞部ＳＰ１０内に挿入され、空洞部ＳＰ１０内においてキャップ６０が係止され、シリコーン本体部１０の入口ＯＰ１０がキャップ６０により閉じられる。シリコーン本体部１０全体が弾性材料、本例ではシリコーン樹脂から成るため、シリコーン本体部１０に力をかけることにより変形させて入口ＯＰ１０を拡径することができる。従って、入口ＯＰ１０よりも大きな直径のキャップ６０をシリコーン本体部１０の空洞部ＳＰ１０内に比較的簡便に装着することができる。
【００４４】
ボタン１５は、溝１０ｆの底部を構成する肉薄の連結部１７を介してボタン周囲部１６に連結しており、肉薄の連結部１７自体が伸び変形可能であるため、ボタン１５の押し下げに要する力は大きくなく、子供でも簡易にボタン１５を押し下げることができる。押圧凸部１８の先端部の直径Ｒ１６は、ドーム部３１の直径Ｒ３２よりも小さく、従って、ボタン１５の押し下げにより、ドーム部３１全体ではなく、ドーム部３１の中心を押圧凸部１８の先端で局所的に押すことができる。シリコーン本体部１０よりも硬いキャップ６０上にドーム体３０が載置されているため、ドーム体３０の変形は好適／容易に確保される。
【００４５】
ボタン周囲部１６の側壁部１６ｒには、図６に示すように、ボタン周囲部１６の底板部１６ｑの上面上に配置されるキャップ６０の円盤部６１の鍔部６５を受け容れて保持する周方向に連続した凹部１６ｒ５が設けられている。キャップ６０の鍔部６５が凹部１６ｒ５により受け入れられることにより、キャップ６０が空洞部ＳＰ１０内に係止される。更に、シリコーン本体部１０の空洞部ＳＰ１０内にキャップ６０を係止したとき、キャップ６０は、底板部１６ｑと押圧凸部１８との間で上下から好適に位置規制される。ボタン１５が押し込まれていない状態において、ボタン１５の下面１５ｒに設けられた押圧凸部１８がドーム体３０の上面に接触するか否かは任意である。なお、シリコーン本体部１０にキャップ６０を装着したとき、押圧凸部１８は、ドーム体３０のドーム部３１に対向し、同心に配置されている。
【００４６】
図７乃至図１０を参照して引手１００の使用方法について説明する。引手１００の把持態様は任意であるが、例えば、図７に模式的に示すようにヒトの親指２９０と人差し指２９１との間で引手１００を上下に挟み込む。これにより、図８に示すように、ボタン１５を押し下げると、ボタン１５の下面１５ｒの押圧凸部１８が下降し、押圧凸部１８がドーム体３０のドーム部３１の中央を押し下げる。例えば、ドーム部３１は、図９（ａ）に示す通常状態から図９（ｂ）に示す変形状態へと変わり、この過程で単発音が発生する。ボタン１５から親指２９０を離すと、ボタン１５が元位置に弾性復帰し、ドーム体３０のドーム部３１が元の形状に弾性復帰する。ドーム体３０が元形状に弾性復帰する過程においても単発音が発生する。
【００４７】
なお、図９に示すドーム体３０は、弧状の曲げを有し、板バネとして機能するステンレス層３０ｎ又は樹脂層３０ｎがプラスチック材料から成る基材層３０ｍに積層された積層体である。基材層３０ｍの全面や一部の面には接着層、粘着層が形成され、ドーム部３１を有する基材層３０ｍはキャップ６０の載置面６４に貼り付けられる。板バネ３０ｎは基材層３０ｍに対し図示しない接着層、粘着層があるフィルムによって取付けられてもよい。図１０に模式的に示すように、ドーム部３１（ドーム体３０）を単層で形成しても良い。発音体として機能するドーム体の具体的な構成は任意である。なお、発音体の具体的な形状は任意であり、ドーム状部分を有する部材に限定されるべきものではない。
【００４８】
本実施形態においては、ボタン１５の弾性変位がドーム体３０の弾性変形をもたらし、これによりドーム体３０が単発的に発音する。「ボタン１５の押込み」と「単発音の発生」が同調し、これにより、心地よい気分転換をヒトに与えることができる。
【００４９】
最後に、図１１を参照して引手１００がファスナースライダー２５０に取付けられた状態のスライドファスナー２００について説明する。図１１に示すように、スライドファスナー２００は、ファスナースライダー２５０、左右一組のファスナーテープ２０１、左右一組のファスナーエレメント２０２、下止め２０９、及び左右一組の上止め２０３を有する。なお、スライドファスナー２００は、左右のファスナーテープ２０１に対して左右のファスナーエレメント２０２が個別に固定された一組のファスナーストリンガーを含む。
【００５０】
スライドファスナー２００は、長尺かつ一定幅を有する長尺体である。一組のファスナーテープ２０１の対向する内側縁部には、一対のファスナーエレメント２０２が設けられ、これに対してファスナースライダー２５０が挿通される。ファスナースライダー２５０をファスナーエレメント２０２に沿って摺動させることにより、左右一組のファスナーエレメント２０２を噛み合わせ・分離させることができる。
【００５１】
ファスナーストリンガーを構成する各ファスナーテープ２０１は、織物、編物、又は不織布であるが、これに限らず、その他のシート状部材であっても良い。
【００５２】
左右のファスナーエレメント２０２は、左右のファスナーテープ２０１の内側端部に個別に縫着固定されている。各ファスナーエレメント２０２は、ここでは、連続したコイルから成り、これをコイルエレメントと呼ぶこともできる。各ファスナーエレメント２０２の噛合部は、主として各ファスナーテープ２０１から突出した部分である。各ファスナーエレメント２０２の噛合部は、変形により線幅が広くなっており、これにより、ファスナーエレメント同士の噛み合わせが確保される。なお、ファスナーエレメント２０２は、このようなコイルの態様に限らず、個々に分離した噛合エレメント（金属製の噛合エレメント、樹脂製の噛合エレメント等）の列であっても構わない。列は、直線列に限らず、ジグザグなどの任意の態様を包含する。
【００５３】
下止め２０９は、一般的なものであり、左右のファスナーエレメント２０２を覆うように左右一組のファスナーテープ２０１に跨って固定されている。左右の上止め２０３は、一般的なものであり、左右のファスナーエレメント２０２に個別に設けられる。各上止め２０３は、各ファスナーテープ２０１の内側端を挟み込むように各ファスナーテープ２０１の表裏面に固定されている。
【００５４】
ファスナースライダー２５０は、上述の引手１００が表側に設けられた一般的なスライダーである。ファスナースライダー２５０は、上翼板と下翼板とが連結柱により連結され、上翼板と下翼板との間にＹ字状のエレメント案内路が設けられている。引手は、上翼板上に回動自在に設けられている。図１１に示すように、ファスナースライダー２５０の胴体の引手取付部２５５に引手１００が取り付けられている。引手１００の引き上げ又は引き下げにより、スライドファスナーを開閉できる。
【００５５】
＜第２実施形態＞
図１２及び図１３を参照して第２実施形態について説明する。図１２は、引手の概略的な長手垂直断面模式図であり、シリコーン本体部へのキャップの装着前の状態を示す。図１３は、引手の概略的な長手垂直断面模式図であり、シリコーン本体部へのキャップの装着後の状態を示す。
【００５６】
本実施形態においては、第１実施形態とは異なり、シリコーン本体部１０ではなくキャップ６０の円筒部６２の底面６４に押圧凸部６６を設け、キャップ６０ではくシリコーン本体部１０、端的にはボタン１５の下面１５ｒにドーム体３０を固着する。このような場合であっても、第１実施形態と同様の効果を得ることができる。なお、組立効率に関しては、空洞部ＳＰ１０内へのドーム体３０の搬送基板としてキャップ６０を活用する第１実施形態のほうが本実施形態よりも優れている。
【００５７】
図１２に示すように、まず、シリコーン本体部１０の空洞部ＳＰ１０にドーム体３０を配置し、端的には、ボタン１５の下面１５ｒ上にドーム体３０の外周部３２を接着固定する。次に、キャップ６０の円筒部６２の底面の中心に押圧凸部６６が設けられたキャップ６０をシリコーン本体部１０の空洞部ＳＰ１０内に挿入して空洞部ＳＰ１０内に係止させ、これにより入口ＯＰ１０が閉じられる。
【００５８】
図１３に示すように、ボタン１５を押し下げることにより、固定状態のキャップ６０の押圧凸部６６に対して下降中のドーム体３０のドーム部３１が接触し、ボタン１５の更なる押し下げに応じて、ドーム体３０のドーム部３１が押圧凸部１８により押されて弾性変形し、この時、単発音が発生する。ボタン１５から指を離すことにより、ボタン１５／ドーム体３０の元位置への弾性復帰と共にドーム体３０の元形状への弾性復帰が開始し、ドーム体３０の形状復帰時に単発音が再び発生する。
【００５９】
上述の教示を踏まえると、当業者をすれば、各実施形態に対して様々な変更を加えることができる。引手本体（シリコーン本体部）／蓋部材（キャップ）／発音体（ドーム体）の具体的な構成は任意である。ボタンを弾性変位させる具体的な態様は任意である。引手本体の全体を弾性材料で構成する必要はない。ボタンの弾性変位を確保する態様は任意である。発音体は、必ずしもボタンにより直接押圧される必要はなく、任意の他の部材を介して間接的にボタンにより押圧されても良い。
【符号の説明】
【００６０】
１０      ：シリコーン本体部
１１      ：ボタン配置先端部
ＳＰ１０  ：空洞部
１２      ：棒状基部
１５      ：ボタン
１６      ：ボタン周囲部
１６ｑ    ：底板部
１６ｒ    ：側壁部
１６ｒ５  ：凹部
１７      ：連結部
１８      ：押圧凸部
１９      ：係合枠体
３０      ：ドーム体
３１      ：ドーム部
３２      ：外周部
６０      ：キャップ
６１      ：円盤部
６２      ：円筒部
６３      ：円柱島部
６４      ：載置面
６５      ：鍔部
６６      ：押圧凸部
１００    ：引手
２００    ：スライドファスナー
２０１    ：ファスナーテープ
２０２    ：ファスナーエレメント
２５０    ：ファスナースライダー
２５５    ：引手取付部
２９０    ：親指
２９１    ：指
ＯＰ１０  ：入口
ＯＰ１１  ：通気孔
ＯＰ１２  ：通気孔
ＯＰ１９  ：通し孔
ＰＬ１０  ：型割線
【図１】
0003179209.tif 000003
【図２】
0003179209.tif 000004
【図３】
0003179209.tif 000005
【図４】
0003179209.tif 000006
【図５】
0003179209.tif 000007
【図６】
0003179209.tif 000008
【図７】
0003179209.tif 000009
【図８】
0003179209.tif 000010
【図９】
0003179209.tif 000011
【図１０】
0003179209.tif 000012
【図１１】
0003179209.tif 000013
【図１２】
0003179209.tif 000014
【図１３】
0003179209.tif 000015